(57)【特許請求の範囲】
【請求項１】
固定部材の開口部に開閉可能に取り付けられる開閉部材をロック状態に保持可能であるロック装置であって、
開閉部材に固定されるベース部材と、
前記ベース部材に回転可能に支持される操作部材と、
前記操作部材の操作に連動して固定部材の被ロック部に係脱するように進退するロッドと、を有し、
前記操作部材は、
前記ベース部材に軸支される軸支部と、
前記操作部材の回転に連動して前記ロッドの進退方向に交差する方向に移動する伝達部と、を有し、
前記ロッドは、前記ロッドの進退方向に対して傾斜し、前記伝達部に当接可能である傾斜面を有し、
前記ベース部材は、
フック状に形成され、開閉部材側に設けられた取付縁部に引っ掛かる第１取付部と、
開閉部材側に取り付けられる第２取付部と、を有し、
前記第１取付部は、前記ロッドの側面に当接または近接して配置され、前記操作部材の操作によって前記伝達部が前記傾斜面を押して前記ロッドを退行させる際に、前記ロッドに当接して前記ロッドの進退方向に交差する方向の動きを制限することを特徴とするロック装置。
【請求項２】
前記第１取付部および前記伝達部は、前記ロッドを介して対向して位置することを特徴とする請求項１に記載のロック装置。
【請求項３】
前記ロッドは、前記ロッドの進退方向に沿って延在する受け面を有し、
前記伝達部は、前記操作部材の操作によって前記ロッドを最も退行させた際に、前記受け面に当接し、前記ロッドを前記第１取付部に押し当てることを特徴とする請求項１または２に記載のロック装置。
【発明の詳細な説明】
【技術分野】
【０００１】
本発明は、開閉部材に取り付けられるロック装置に関する。
【背景技術】
【０００２】
車両のグローブボックスの開口を開閉する開閉部材には、開閉部材を閉状態に保持するためのロック装置が取り付けられる。ユーザはロック装置の操作部材を操作することでロックを解除してグローブボックスを開く。【０００３】
特許文献１に開示される開閉部材のロック装置は、開閉部材の取付座面に固定されるベース部材と、ベース部材に回動可能に支持される操作部材と、ベース部材に回動可能に軸支されて操作部材の操作により回転する駆動部材と、駆動部材の駆動に応じてロック位置およびロック解除位置をとるロック部材とを有する。ベース部材は、複数のネジ部材によって開閉部材に固定される。
【先行技術文献】
【特許文献】
【０００４】
【特許文献１】国際公開第２０１５−１２２４４７号
【発明の概要】
【発明が解決しようとする課題】
【０００５】
特許文献１に開示される技術では、開閉部材へのベース部材の固定をネジ部材により固定するため、取り付け作業が煩瑣である。また、ネジ部材の代わりにベース部材を開閉部材の取付口の縁などに引っかけるように取り付け可能に構成すると、取付作業を容易にできるが、ネジ部材で固定する場合と比べて耐荷重性が低下するおそれがある。【０００６】
本発明はこのような課題に鑑みてなされたものであり、その目的は、開閉部材に取り付けやすく、耐荷重性の低下を抑えるロック装置を提供することにある。
【課題を解決するための手段】
【０００７】
上記課題を解決するために、本発明のある態様のロック装置は、固定部材の開口部に開閉可能に取り付けられる開閉部材をロック状態に保持可能であるロック装置であって、開閉部材に固定されるベース部材と、ベース部材に回転可能に支持される操作部材と、操作部材の操作に連動して固定部材の被ロック部に係脱するように進退するロッドと、を有する。操作部材は、ベース部材に軸支される軸支部と、操作部材の回転に連動してロッドの進退方向に交差する方向に移動する伝達部と、を有する。ロッドは、ロッドの進退方向に対して傾斜し、伝達部に当接可能である傾斜面を有する。ベース部材は、フック状に形成され、開閉部材側に設けられた取付縁部に引っ掛かる第１取付部と、開閉部材側に取り付けられる第２取付部と、を有する。第１取付部は、ロッドの側面に当接または近接して配置され、操作部材の操作によって伝達部が傾斜面を押してロッドを退行させる際に、ロッドに当接してロッドの進退方向に交差する方向の動きを制限する。
【発明の効果】
【０００８】
本発明によれば、開閉部材に取り付けやすく、耐荷重性の低下を抑えるロック装置を提供できる。
【図面の簡単な説明】
【０００９】
【図１】第１実施例のロック装置を説明するための図である。
【図２】ロック装置の分解図である。
【図３】第１ロッドの部分斜視図である。
【図４】操作部材およびベース部材の斜視図である。
【図５】図５（ａ）は、図１（ｂ）に示すロック装置および外側部材のＡ−Ａ断面図であり、図５（ｂ）は、図１（ｂ）に示すロック装置および外側部材のＢ−Ｂ断面図である。
【図６】図１（ｂ）に示すロック装置および外側部材のＣ−Ｃ断面図である。
【図７】外側部材に取り付けたロック装置を拡大して示す斜視図である。
【図８】ロック解除状態のロック装置について説明するための図である。
【発明を実施するための形態】
【００１０】
図１は、第１実施例のロック装置１０を説明するための図である。図１（ａ）は、開閉部材を表側からみたロック装置１０および開閉部材の表面図であり、図１（ｂ）は、開閉部材を裏側からみたロック装置１０および開閉部材の裏面図である。開閉部材は、実際には２枚の板状部材を貼り合わせて、その内部の空間にロック装置１０を収容するが、図１（ｂ）はロック装置１０を覆う開閉部材の裏側の内側部材を省いて図示している。また、
【００１１】
開閉部材は、たとえば車両のグローブボックス用の蓋部材であり、外側部材１２と内側部材により構成される。図１（ａ）および（ｂ）の開閉部材の外側部材１２は説明の便宜上、平面形状に示されているが、実際にはグローブボックスの開口部の形状に合わせて形成され、湾曲して形成されてもよい。本実施例ではグローブボックスはインストルメントパネルに設けられた収納空間である凹所を有する固定部材であり、開閉部材は、グローブボックスに回動可能に取り付けられ、凹所の開口部を開閉する。開閉部材の閉状態で、外側部材１２は助手席の正面に露出し、内側部材は凹所の内部に位置する。なお、開閉部材に収納部を設けてグローブボックスそのものを開閉部材としてよく、クローブボックスの回転によりクローブボックスの収納空間を開口させてよい。
【００１２】
開閉部材の外側部材１２には、ロック装置１０を取り付けるための取付口１２ａが形成される。開閉部材に取り付けられたロック装置１０は、グローブボックスの開口部に対して開閉部材をロック状態にして閉状態に保持する。実施例のロック装置１０は、操作部材２０を開閉部材の幅方向に操作可能とするサイド式のロック装置である。
【００１３】
ロック装置１０は、操作部材２０、ベース部材２２、回転部材２４、第１ロッド２６、第２ロッド２８、第１バネ部材３０および第２バネ部材３２を備える。なお、実際のロック装置１０では、操作部材２０のキーシリンダ用孔部４６にキーシリンダが配置されるが、図１では省略する。
【００１４】
ロック装置１０は、開閉部材の外側部材１２と内側部材の間に画成される収容空間に設けられる。ベース部材２２は、外側部材１２に固定される。操作部材２０は、ベース部材２２に回転可能に支持される。図１（ａ）に示すように取付口１２ａの表側に操作部材２０が露出する。ユーザは窪み部１２ｂから操作部材２０の裏側へ指を挿入し、操作部材２０を引くことでロック解除をする。外側部材１２の裏側および内側部材の裏側はロック装置１０を収容するための収容空間に位置し、外側部材１２の表側および内側部材の表側は露出する外部空間に位置する。
【００１５】
回転部材２４は、外側部材１２に回転可能に支持され、第１ロッド２６および第２ロッド２８（これらを区別しない場合、単に「ロッド」という）に連結する。ユーザの操作力は、操作部材２０から図１（ｂ）に示す第１ロッド２６へ、第１ロッド２６から回転部材２４へ、回転部材２４から第２ロッド２８へと伝達される。回転部材２４は、操作部材２０の回転に応じて回転する。ロッドは、回転部材２４の回転に連動して長手方向に進退する。ロッドは、操作部材２０の回転に連動して固定部材のロック孔に係脱、すなわち係合したり係合解除することが可能である。
【００１６】
第１ロッド２６は、外側部材１２の第１支持孔部１２ｃに挿通され、第２ロッド２８は、外側部材１２の第２支持孔部１２ｄに挿通される。図１（ｂ）では不図示である開閉部材の内側部材でロック装置１０の裏側を覆い隠すと、第１ロッド２６の先端部が外部に出た状態となり、第２ロッド２８の先端部２８ａが外部に出た状態となる。第１ロッド２６および第２ロッド２８では、グローブボックスの第１ロック孔および第２ロック孔に挿入される側を先端、回転部材２４に連結される側を基端という。
【００１７】
外側部材１２の第１支持孔部１２ｃおよび第２支持孔部１２ｄは、外側部材１２の裏面から突出した壁部に貫通して形成される。第１支持孔部１２ｃおよび第２支持孔部１２ｄの貫通孔の周縁には、ロッドに弾性的に接触して、ロッドのガタツキを抑えつつ、ロッドの移動をガイドする弾性部が設けられてよい。
【００１８】
ユーザが操作部材２０を操作すると第１ロッド２６を介して回転部材２４が回転し、ロッドは回転部材２４の回転に応じて、固定部材であるグローブボックスに形成された第１ロック孔および第２ロック孔にそれぞれ出入りする。ロッドの先端部がグローブボックスのロック孔に入ると開閉部材がロック状態となり、ロッドがそのロック孔から出ると開閉部材が非ロック状態となる。ロッドがロック孔に入る方向をロッドの進行方向といい。ロッドがロック孔から出る方向をロッドの退行方向という。
【００１９】
第１ロッド２６には、進行方向に付勢する第１バネ部材３０が設けられ、第２ロッド２８には、進行方向に付勢する第２バネ部材３２が設けられる。また、操作部材２０には、操作部材２０を閉状態に付勢する別のバネ部材が設けられてよい。
【００２０】
図２は、ロック装置１０の分解図である。図２ではロック装置１０とともに開閉部材の外側部材１２を示す。図２に示すベース部材２２は、操作部材２０と一体化された状態、操作部材２０を軸支した状態であり、外側部材１２の取付口１２ａに取り付けられる。
【００２１】
図２に示すように、ロック装置１０の全ての部材が外側部材１２の裏側から取り付け可能であり、部材によって表側や裏側から取付方向を変える場合と比べて、取付作業を容易にできる。
【００２２】
回転部材２４、第１ロッド２６および第２ロッド２８は、樹脂成形により予め一体に形成される。回転部材２４は、薄肉のヒンジ部２４ａにより、第１ロッド２６および第２ロッド２８の基端側に連結する。これにより、取付工程を減らすことができる。また、一体の回転部材２４、第１ロッド２６および第２ロッド２８を、ロータ軸受部１２ｆ、第１支持孔部１２ｃ、第２支持孔部１２ｄの３カ所で保持できるため、簡素な構成でロッドのガタつきを抑えることができる。
【００２３】
ロック装置１０の外側部材１２への取付工程について説明する。ベース部材２２は、操作部材２０を軸支した状態で外側部材１２の裏側から取付口１２ａに取り付けられる。次に、回転部材２４、第１ロッド２６および第２ロッド２８は、一体で、外側部材１２の裏側から取り付けられる。回転部材２４は、ロータ軸受部１２ｆに軸支され、第１ロッド２６の先端は第１支持孔部１２ｃに挿入され、第２ロッド２８の先端は第２支持孔部１２ｄに挿入される。次に、第１バネ部材３０が、ベース部材２２のバネ受け部６２に取り付けられて第１ロッド２６を付勢させ、第２バネ部材３２がバネ保持部１２ｅに取り付けられて第２ロッド２８を付勢させる。これで、ロック装置１０の取り付けが完了する。なお、第１バネ部材３０の取り付けは、第１ロッド２６の取り付けより先にベース部材２２に取り付けられてよい。
【００２４】
ロック装置１０の全ての部材を外側部材１２の裏側から取り付けることができるため、取付工程において外側部材１２を裏向きに台座に載置すれば、そのままの状態でロック装置１０および開閉部材の内側部材を取り付け、開閉部材を組み立てることができ、取付作業を容易にできる。ロック装置１０の各部材について新たな図面を参照しつつ、詳細に説明する。
【００２５】
図３は、第１ロッド２６の部分斜視図である。第１ロッド２６は、傾斜面２６ａ、受け面２６ｂおよびバネ受け部２６ｃを有する。傾斜面２６ａは、操作部材２０の伝達部４０に当接可能に配置され、操作部材２０が操作された際に伝達部４０に押される。傾斜面２６ａは、第１ロッド２６の進退方向に対して傾斜する。傾斜面２６ａの傾斜により、伝達部４０の動きを第１ロッド２６の進退方向、すなわち第１ロッド２６の長手方向に変える。第１ロッド２６は、伝達部４０により傾斜面２６ａが下方に押されると、ロック孔から退行するように移動する。
【００２６】
受け面２６ｂは、傾斜面２６ａに連設され、第１ロッド２６の進退方向に沿って延在する。伝達部４０は、最大限下方に移動した場合に、受け面２６ｂに当たって止まる。
【００２７】
バネ受け部２６ｃは、第１バネ部材３０の一端に係合して第１バネ部材３０から付勢力を受ける。これにより、第１ロッド２６が第１バネ部材３０によりロック孔に進行する方向に付勢される。
【００２８】
図４は、操作部材２０およびベース部材２２の斜視図である。操作部材２０は、基部３５、操作部３６、一対の軸孔部３８、伝達部４０、一対の側壁部４２、中間壁部４４およびキーシリンダ用孔部４６を有する。
【００２９】
操作部３６は、平板状の基部３５に形成され、外側部材１２の表側に位置してユーザに手指を掛けられる。操作部３６は、基部３５の下側に位置する。
【００３０】
一対の側壁部４２は、基部３５の裏面に対向して立設する。一対の軸孔部３８は、一対の側壁部４２に孔状にそれぞれ形成される。軸孔部３８は、ベース部材２２の軸部５６を受け入れて軸支される軸支部として機能する。操作部材２０の回転軸は、左右方向に沿っており、第１ロッド２６の進退方向に沿っている。
【００３１】
中間壁部４４は、基部３５の裏面に立設し、一対の側壁部４２を連結する。中間壁部４４は、ロック装置１０の内部構造を覆い、ユーザの手指がロック装置１０の内部に入り込むことを防ぐ。
【００３２】
伝達部４０は、柱状に形成され、基部３５の裏面から立設して、図２に示すようにベース部材２２に挿通される。伝達部４０は、第１ロッド２６の傾斜面２６ａに係合して、操作部材２０への操作力を第１ロッド２６に伝達する。伝達部４０は、操作部材２０の操作によって上下に移動する。
【００３３】
基部３５にはキーシリンダを取り付けるためのキーシリンダ用孔部４６が貫通して形成される。なお、変形例ではキーシリンダ用孔部４６は形成されず、キーシリンダが操作部材２０に設けられなくてよい。
【００３４】
ベース部材２２は、基枠部４８、挿通部５０、フック部５２、弾性爪部５３、係止爪部５４、軸部５６、上壁部５８、張出部６０およびバネ受け部６２を有する。挿通部５０は、操作部材２０の伝達部４０を裏側に挿通するために、基枠部４８に貫通して形成される。軸部５６は、突状に形成され、基枠部４８の両側面に一対形成される。軸部５６は、操作部材２０の軸孔部３８に挿入されて操作部材２０を回転可能に支持する。
【００３５】
フック部５２は、窪み部１２ｂの裏側の取付縁部１２ｈに引っ掛かり、ベース部材２２が外側部材１２から表側に外れることを防ぐ。フック部５２は、ベース部材２２の下端の中央部分に位置する。なお、フック部５２は、窪み部１２ｂの裏面に形成された一対の突部１２ｊの間に配置され、左右方向の移動が制限される。フック部５２は、上方に隆起し、湾曲するように形成された隆起部５２ａを有する。隆起部５２ａにより、フック部５２の上面が第１ロッド２６に当接しやすくなり、第１ロッド２６の進退をガイドすることができる。
【００３６】
一対の弾性爪部５３は、フック部５２の両側に撓み可能に形成され、窪み部１２ｂの表側の取付縁部１２ｈに係止し、ベース部材２２が外側部材１２の裏側に外れることを防ぐ。ベース部材２２を外側部材１２の裏側から取り付ける際に、フック部５２は、窪み部１２ｂの裏側の取付縁部１２ｈにそのまま引っかかり、弾性爪部５３は、撓みにより窪み部１２ｂの取付縁部１２ｈを乗り越えて復元して係止する。
【００３７】
一対の係止爪部５４は、上壁部５８に撓み可能に形成され、図２に示す取付壁部１２ｉに形成された係合孔１２ｇの縁部に係止し、ベース部材２２が外側部材１２の裏側に外れることを防ぐ。なお、図２に示す取付壁部１２ｉは、外側部材１２の取付口１２ａの上方に位置し、外側部材１２の裏面から立設している。
【００３８】
張出部６０は、上壁部５８の縁のフランジ状に形成され、上方に張り出す。張出部６０は、取付壁部１２ｉの先端に当接することで、ベース部材２２が外側部材１２の表側に外れることを防ぐ。ベース部材２２を外側部材１２の裏側から取り付ける際に、張出部６０は、取付壁部１２ｉにそのまま当接し、係止爪部５４は、撓みにより取付壁部１２ｉを乗り越えて係合孔１２ｇ内で復元して係止する。フック部５２および弾性爪部５３は、ベース部材２２の下方部分を取り付ける第１取付部として機能し、係止爪部５４および張出部６０は、ベース部材２２の上方部分を取り付ける第２取付部として機能する。
【００３９】
一対の軸部５６は、ベース部材２２の両側面に突出するように形成される。軸部５６は、軸孔部３８に挿入され、操作部材２０を軸支する。なお、実施例では、操作部材２０に軸孔部３８、ベース部材２２に軸部５６を設ける態様を示すが、変形例では、軸孔部と軸部の凹凸関係は逆であってよい。つまり、変形例では、操作部材２０に突状の軸部が形成され、ベース部材２２に軸部が挿入される軸孔部が形成されてよい。いずれにしても、ベース部材２２が操作部材２０を回転可能に軸支する。バネ受け部６２は、第１バネ部材３０を支持する。
【００４０】
図５（ａ）は、図１（ｂ）に示すロック装置１０および外側部材１２のＡ−Ａ断面図であり、図５（ｂ）は、図１（ｂ）に示すロック装置１０および外側部材１２のＢ−Ｂ断面図である。
【００４１】
図５（ａ）および図５（ｂ）に示すように、ベース部材２２の上方側は、係止爪部５４が係合孔１２ｇの縁に係止し、張出部６０が取付壁部１２ｉの先端に当接している。また、ベース部材２２の下方側は、フック部５２が窪み部１２ｂの取付縁部１２ｈに引っかけられ、弾性爪部５３が取付縁部１２ｈに係止している。
【００４２】
ここで、具体的な操作部材２０およびベース部材２２の取付工程について説明する。作業者は、外側部材１２の裏側から操作部材２０の操作部３６を取付口１２ａに挿入し、フック部５２を取付縁部１２ｈに引っ掛け、位置決めする。フック部５２を引っかけるとともに、一対の弾性爪部５３は、撓んで取付縁部１２ｈを乗り越え、復元して取付縁部１２ｈの係止する。
【００４３】
次に、作業者は、フック部５２を支点としてベース部材２２を回転させて、一対の係止爪部５４を係合孔１２ｇの縁に押し込み、一対の係止爪部５４を撓ませる。一対の係止爪部５４は、取付壁部１２ｉを通過して係合孔１２ｇ内に入ると復元力により係合孔１２ｇの縁に係止して、ベース部材２２が外側部材１２の取付口１２ａに取り付けられる。
【００４４】
このように、ネジ等で固定する場合と比べて、フック部５２を引っ掛けて位置決めし、後は係止爪部５４を係合孔１２ｇに押し込めば取付作業を完了でき、取付作業が容易である。また、ロック装置１０を外側部材１２の裏側から取り付けることで、取付工程で外側部材１２の表側の意匠面を傷つける可能性を低減できる。
【００４５】
図６は、図１（ｂ）に示すロック装置１０および外側部材１２のＣ−Ｃ断面図である。また、図７は、外側部材１２に取り付けたロック装置１０を拡大して示す斜視図である。図６および図７では、ユーザが操作部材２０を操作していない、ロック状態のロック装置１０を示す。
【００４６】
フック部５２は、先端が窪み部１２ｂの裏側で取付縁部１２ｈから窪み部１２ｂに沿って下方に延びている。これにより、取付縁部１２ｈに引っかかり代を十分に確保している。
【００４７】
図６および図７に示すように、自由状態およびロック状態のロック装置１０では、伝達部４０が第１ロッド２６の傾斜面２６ａの上方に位置し、傾斜面２６ａに当接または近接している。また、第１ロッド２６の下方にはフック部５２の隆起部５２ａが配置される。伝達部４０とフック部５２の間に第１ロッド２６が配置される。つまり、伝達部４０およびフック部５２は、ロッドを介して対向して位置する。第１ロッド２６は、フック部５２の隆起部５２ａに当接または近接しており、第１ロッド２６の下方への移動が制限される。
【００４８】
図８は、ロック解除状態のロック装置１０について説明するための図である。ユーザは、ロック解除する際に、窪み部１２ｂに手指を差し込み、操作部材２０の操作部３６に手指をかけて操作部３６を手前側に引く操作を行う。ユーザの操作により操作部材２０が回転し、操作部材２０の回転によって伝達部４０が下方に移動する。
【００４９】
伝達部４０が下方に移動することで、傾斜面２６ａを押し込み第１ロッド２６を退行させる。このとき、伝達部４０からの操作力は、傾斜面２６ａにより下方向への成分と、第１ロッド２６の退行方向への成分からなり、下方向の成分が第１ロッド２６のガタつきや撓みとなるおそれがある。また、第１ロッド２６が下方に撓むと、第１ロッド２６の先端がグローブボックスのロック孔に入りにくくなるおそれがある。
【００５０】
フック部５２は、第１ロッド２６の下方に当接または近接して位置し、第１ロッド２６の下方への移動を制限するため、第１ロッド２６の撓みを抑えることができる。これにより、フック部５２が第１ロッド２６のスライドのガイドとして機能し、第１ロッド２６をスムーズに進退させることができる。第１ロッド２６の下方への動きは、第１ロッド２６の進退方向に交差する方向の動きであり、第１ロッド２６の進退方向に直交する方向の動きである。また、フック部５２が第１ロッド２６を介して伝達部４０からの操作力により下方に押されると、取付縁部１２ｈに食い込むように作用するため、耐荷重性が向上する。
【００５１】
図８では、操作部材２０を最も回転させた状態、すなわち第１ロッド２６を最も退行させた状態を示しており、このときに伝達部４０は第１ロッド２６の受け面２６ｂに当接している。このときフック部５２は、第１ロッド２６を介して伝達部４０からの操作力を受け、取付縁部１２ｈに押し当てられる。このようにユーザが操作部材２０を大きな力で引っ張っても、フック部５２が取付縁部１２ｈに食い込むように作用するため、フック部５２が外れることなく、耐荷重性が向上する。
【００５２】
ロック装置１０を外側部材１２の裏側から全て取り付ける場合、ベース部材２２は、取付口１２ａの表側に外れにくく非常に高い耐荷重性を有するが、取付口１２ａの裏側に外れる耐荷重性も高めることが好ましい。操作部材２０を操作しても、フック部５２および弾性爪部５３が取付縁部１２ｈに食い込むように作用するため、フック部５２および弾性爪部５３が外れることなく、耐荷重性が向上できる。
【００５３】
また、受け面２６ｂが、第１ロッド２６の進退方向に沿って延在するため、伝達部４０からの操作力が第１ロッド２６の進退方向に分散されず、第１ロッド２６を介してフック部５２に伝達される。これにより、フック部５２がいっそう取付縁部１２ｈに食い込むように作用するため、ロック装置１０の耐荷重性をより向上できる。
【００５４】
本発明は上述の各実施例に限定されるものではなく、当業者の知識に基づいて各種の設計変更等の変形を各実施例に対して加えることも可能であり、そのような変形が加えられた実施例も本発明の範囲に含まれうる。
【００５５】
実施例のロック装置１０では、第１ロッド２６および第２ロッド２８を固定部材のロック孔に係合させる態様を示したが、この態様に限られない。例えば、第１ロッド２６および第２ロッド２８を固定部材の突出部分や窪み部分に係合させてよく、固定部材の壁の縁に係合させてよい。つまり、第１ロッド２６および第２ロッド２８を係合させる面が固定部材にあればよく、第１ロッド２６および第２ロッド２８を係合させる部分を固定部材の被ロック部という。
【００５６】
なお、実施例のロック装置１０では、外側部材１２の取付口１２ａにフック部５２を引っ掛ける態様を示したが、この態様に限られない。例えば、取付口１２ａの代わりに外側部材１２の裏側にフック部５２を引っ掛けるための取付縁部を形成してよい。
【００５７】
また、実施例では、伝達部４０が最大限下方に移動した場合、つまり操作部材２０を最大限引っ張る操作をした場合に、受け面２６ｂに当たって止まる態様を示したが、この態様に限られない。たとえば、操作部材２０を最大限操作しても、伝達部４０が受け面２６ｂに当たらず、傾斜面２６ａの中途で止まって傾斜面２６ａに当接した状態であってよい。
【符号の説明】
【００５８】
１０  ロック装置、  １２  外側部材、  １２ａ  取付口、  １２ｂ  窪み部、  １２ｃ  第１支持孔部、  １２ｄ  第２支持孔部、  １２ｅ  バネ保持部、  １２ｆ  ロータ軸受部、  １２ｇ  係合孔、  １２ｈ  取付縁部、  １２ｉ  取付壁部、  １２ｊ  突部、  ２０  操作部材、  ２２  ベース部材、  ２４  回転部材、  ２４ａ  ヒンジ部、  ２６  第１ロッド、  ２６ａ  傾斜面、  ２６ｂ  受け面、  ２６ｃ  バネ受け部、  ２８  第２ロッド、  ３０  第１バネ部材、  ３２  第２バネ部材、  ３５  基部、  ３６  操作部、  ３８  軸孔部、  ４０  伝達部、  ４２  側壁部、  ４４  中間壁部、  ４６  キーシリンダ用孔部、  ４８  基枠部、  ５０  挿通部、  ５２  フック部、  ５２ａ  隆起部、  ５３  弾性爪部、  ５４  係止爪部、  ５６  軸部、  ５８  上壁部、  ６０  張出部、  ６２  バネ受け部。
【産業上の利用可能性】
【００５９】
本発明は、開閉部材に取り付けられるロック装置に関する。
【図１】
0006588641.tif 000002
【図２】
0006588641.tif 000003
【図３】
0006588641.tif 000004
【図４】
0006588641.tif 000005
【図５】
0006588641.tif 000006
【図６】
0006588641.tif 000007
【図７】
0006588641.tif 000008
【図８】
0006588641.tif 000009